(57)【特許請求の範囲】
【請求項１】
阻止タンブラピン（ＢＺ）および阻止カウンタピン（ＢＧ）とシリンダハウジング（１０）とを有する割当てられたシリンダ（Ｚ）に用いられるキーを製造するためのキーブランクであって、
コーディングピン列に位置し、その先端からキーブランクの軸（ｘ）に平行に少なくとも第１のコーディング位置（Ｐ１）まで走る阻止溝（ＢＮ）を備え、
阻止溝（ＢＮ）は、割当てられたシリンダにおける阻止タンブラピン（ＢＺ）に対応する位置に設けられ、また阻止溝（ＢＮ）はコーディングされた阻止深さ（Ｂ１、Ｂ２、Ｂ３）を有し、
阻止タンブラピン（ＢＺ）および阻止カウンタピン（ＢＧ）の全長（ｌｂ）は、阻止溝（ＢＮ）からシリンダハウジング（１０）までの距離（ｄｂ）とほぼ同じまたは短く、
このため、阻止溝（ＢＮ）が十分に深くない場合に阻止カウンタピン（ＢＧ）がシリンダハウジング（１０）に当たり、これにより、深さが不十分である阻止溝（ＢＮ）を有するキーブランクの完全な挿入が阻止タンブラピン（ＢＺ）および阻止カウンタピン（ＢＧ）によって阻止され、阻止タンブラピン（ＢＺ）が阻止溝を通過して第１のコーディング位置（Ｐ１）に位置するとき阻止タンブラピン（ＢＺ）はシリンダの旋回を可能とするコーディングを有するコーディングタンブラピンとしても利用される、キーブランク。
【請求項２】
先端部にキーブランクの中央の２等分面を越えて延在する上昇する制御面（ＫＦ）をさらに備え、
前記制御面（ＫＦ）がシリンダに設けられたキーブランクの中央の２等分面を超えて延在する制御ピン（ＫＳ）を脇へ押しやることにより、キーブランクがシリンダに挿入可能となり、
このため、正しい制御面をもたないキーブランクの挿入が阻止される、請求項１に記載のキーブランク。
【請求項３】
少なくとも２つの異なった形状をした阻止溝のセクタ（ＢＮ１、ＢＮ２）を備える、請求項１に記載のキーブランク。
【請求項４】
阻止溝は少なくとも２つのコーディング位置（Ｐ１、Ｐ２）にわたって延在し、阻止溝
の深さ（ｔｂ）または幅（ｂｂ）は、第１のコーディング位置（Ｐ１）から次のコーディング位置（Ｐ２）の間で減少する、請求項１に記載のキーブランク。
【発明の詳細な説明】
【技術分野】
【０００１】
この発明は、割当てられたシリンダを備えたセキュリティ可逆キーと、施錠システムのためのセキュリティ可逆キーを備えた施錠システムと、これらの製造のための方法に関する。
【背景技術】
【０００２】
このようなキーおよび施錠システムは公知であり、高度の安全性を有しかつこれに対応する多数の必要な可能なコーディング順列を有するキーは、少なくとも３つの、好ましくは少なくとも４つのコーディングまたはタンブラピン列を有し、これらはまたキーの平坦な側面に位置しており、これによって利用可能な空間、すなわち所与のキー表面、およびシリンダにおけるタンブラピン列のための対応する空間要件を可能な限り有効に利用するようにする。また公知であるのは、追加のセキュリティ要素を備えたキーであり、これもまた、ある程度の空間を必要とする。米国特許第５，４３８，８５７号から、追加のセキュリティ要素としての挿入阻止システムを備えたキーが公知である。ここで、追加の制御面がキー上に位置付けられ、これはシリンダ入口における割当てられた制御ピンによって誤ったキーの挿入を防ぐ。この制御ピンはコーディングピンより長く、キーの中央の２等分面を超えて延在する。制御面はキーの先端に配置され上昇し、これもまた対応してキーの中央２等分面を超えて延在し、制御ピンを持上げ、これによってそれを脇へ押しやる。この結果、この制御ピンは正しい制御面を持たないキーの挿入を防ぐことになる。これらの制御面は既にキーブランクにつけられていてもよく、これによってブランクの保護を可能にする。
【特許文献１】米国特許第５，４３８，８５７号  安全性の高いキーを備えたこれらの公知の安全性の高いキーおよびシステムはまた、キーおよびシリンダにおけるコーディングおよびセキュリティ機能に利用可能な空間によって常に制限される。これらの製造には中央生産または集中生産が必要であり、このことはこのようなシステムの世界規模での全般的な応用を制限し、より困難にし、遅らせる。また、どんな種類の設備および応用のための最適設計もこのことによってひどく制限される。
【発明の開示】
【発明が解決しようとする課題】
【０００３】
ここで提示されるこの発明の目的は、割当てられたシリンダを有するセキュリティ可逆キーまたはセキュリティ可逆キーおよび割当てられたシリンダを有する施錠システムであって、世界規模の独自の施錠システムとして利用することができ、どんな種類の応用に対してもより高い順列能力を有し、安全性および複製からの保護が向上しており、世界規模でどんな種類の市場地域（market area）および応用をも分離する立場に立つという新しい可能性を有し、これによってキーおよびシリンダに対する追加の空間要件を必要とせず、より高度な安全性およびより多数の順列が達成される施錠システムを作り出すことである。さらなる目的として求められているのは、迅速かつ全般的に使用がなされ世界規模で適用され得るこの種類のシステムのための製造方法である。
【課題を解決するための手段】
【０００４】
この目的は、この発明に従って、割当てられたシリンダを有するセキュリティ可逆キーと、割当てられたシリンダを有するセキュリティ可逆キーを備えた施錠システムと、このようなキーの製造のための方法とによって達成される。コーディングされた阻止溝および割当てられた対の阻止タンブラピンを含む、新しい追加のセキュリティ要素「阻止コード」により、キーおよびシリンダにおける追加の空間要件を何ら必要とせず、すなわち、キー上の既存のコーディング位置およびシリンダにおける既存のピン列および位置を用いて、追加の挿入阻止システムとより多数の順列および応用とが達成される。追加のセキュリティ要素を備えた第１の区域が、独立したマーケット区域（market area）への明確な区分けを規定しているキー上の区域分割により、上記の目的に対応し、かつ新しい多ステップ製造プロセスで実現可能であるシステムが作られる。
【０００５】
従属クレームは、全世界での使用可能性、世界規模で迅速に製造できる能力、施錠システムの安全性、複製からの保護、順列および応用の数に関してさらなる利点が可能となるこの発明の有利なさらなる展開に関する。
【０００６】
特に、コーディングされた阻止溝および割当てられた対の阻止タンブラピンを含む新しい追加のセキュリティ要素「阻止コード」により、キーおよびシリンダにおける追加の空間要件を何ら必要とせず、すなわち、キー上の既存のコーディング位置およびシリンダにおける既存のキー列および位置で追加の挿入阻止システムとより多数の順列および応用とが達成される。
【発明を実施するための最良の形態】
【０００７】
以下において、この発明を図面および実施例の例に基づいてより詳細に説明する。
例として図１ａは、４つのピン列Ａ１からＡ４および２２個のコーディング位置Ｐｉを有する安全旋回キーＳを示しており、コーディング位置の各々はボアパターン左（Ｌ）およびボアパターン右（Ｒ）のためのものである。ここでキーＳ上のコーディング列Ａ２はボアパターンＲに対して位置Ｒ１からＲ５を有し、ボアパターンＬに対して位置Ｌ６からＬ１１を有する。キー上では、双方のボアパターンのすべての位置をコーディングすることができ、すなわち、ボアパターン左を有するキーと、ボアパターン右を有するキーと、また２つのボアパターンＲ＋Ｌを有するキーとが存在する。しかしながら、割当てられたシリンダＺにおいて、ピンのための空間の理由により、２つ目ごとの位置だけであり、これに対しボアパターンＲまたはボアパターンＬのいずれかだけしか（同じ区域において）タンブラピンを備えることができない。キーの先端における第１のコーディング位置Ｐ１（＝Ｌ１１）はここで、キーの挿入の方向ｘに関してシリンダにおける最後部タンブラピン位置Ｐ１に対応する。
【０００８】
図１ｂは、キーＳ上のこの発明に従った施錠システムを示し、キー上には少なくとも２つの区域が規定されており、より高い製造上の難度を有する少なくとも２つの追加のセキュリティ要素が設けられる第１の区域Ｇ１と、単純な基本的なコーディングＣｏｄ１が設けられる第２の区域Ｇ２とが設けられ、第１の区域Ｇ１では、独立したマーケット区域Ｍｉ＝Ｍ１，Ｍ２などへの明確な区分けが規定される。またここで示されているのは、追加のセキュリティ要素であり、これはより正確に以下に規定される。すなわち、阻止コードＢＣ、好ましくは狭くフライス削りされた部分を有する第２のコーディングＣｏｄ２、制御面および制御ピンＫＦ／ＫＳによる挿入阻止システムならびに平坦なピン２３によるＣｏｄ２のフランク制御である。単純な基本的なコーディングＣｏｄ１はたとえば、ボアによるコーディングであり、これはどこでも分散した場所で比較的容易に実現可能である。
【０００９】
図１ｃは、異なる区域分割を示し、区域Ｇ１はいくつかの部分区域Ｇ１．１、Ｇ１．２などに分割できる。応用に応じ、かつ所望のシステム設計に応じて、区域Ｇ１はたとえばコーディング列Ａ１全体を包含していてもよい。そうするにあたって、すべてのセキュリティ要素もまたこの１つのコーディング列につけられる。異なる有利な変形例では、たとえば、２つのコーディング列（Ａ１、Ａ２）のキーの最前部における位置を有する区域の部分も区域Ｇ１を形成していてもよく、たとえば、区域の部分Ｇ１．１、Ｇ１．２の双方
は各々がそれぞれ、阻止コードＢＣを有していてもよい。
【００１０】
図１ｄは、いくつかの独立したマーケット区域Ｍｉ＝Ｍ１、Ｍ２などへの分割と、たとえば設備および物体などのための応用分野または独立したディストリビュータ区域などの、マーケット区域の部分ＭＭｉへの各マーケット区域のさらなる可能な再分とを示す。マーケット区域Ｍｉは区域Ｇ１により規定される。区域の部分ＭＭｉは区域Ｇ１の部分によって規定してもよく、または区域Ｇ２の部分によって規定してもよく、または区域Ｇ１および区域Ｇ２の部分を等しく包含していてもよい。
【００１１】
図１ｅは、たとえば、キー上の区域Ｇ１、Ｇ２とマーケット区域Ｍｉにおける明確な分離との関連、マーケット区域の部分ＭＭｉ、および物体のためのさらなる再分ＭＭｉ．ｉを示す。これは図１８の記述においてさらに説明される。
【００１２】
有利に、区域Ｇ１は少なくとも３つのセキュリティ要素Ｖｉを含む。特に重要かつ有利であるのは、新しい追加のセキュリティ要素「阻止コード」である。図２に説明されるこの発明に従った追加のコーディングおよびセキュリティ機能としての阻止コードＢＣの場合、キーＳ上およびシリンダＺにおけるコーディング位置Ｐ１およびその機能が維持される。
【００１３】
図２には、キーＳ上および割当てられたシリンダＺにおけるこの発明に従った阻止コードＢＣの動作の方法が概略的に示される。空間における方向は以下にｘ、ｙ、ｚで示されており、ｘはキーまたはシリンダ軸である。キー上に位置する、またはキーの中にフライス削りによって作られるのは阻止溝ＢＮであり、これはキー軸ｘに平行に走っており、少なくとも第１のコーディング位置Ｐ１まで延在する。割当てられたシリンダにおいて、応じて、少なくとも最後部コーディング位置Ｐ１において、ばね式阻止タンブラピンＢＺおよび延長された阻止カウンタピンＢＧを有する１対の阻止ピンが設けられる。阻止溝はコーディングされた阻止深さＢ１、Ｂ２、Ｂ３を有し、これに対応して、阻止タンブラピンの対（ＢＺ＋ＢＧ）の長さｌｂは、ｌｂがシリンダハウジング１０からの阻止溝ＢＮの距離ｄｂに対応する態様で、すなわち阻止タンブラピンの対（または阻止ピンの対）が遊びが少ない状態で阻止溝に嵌合する態様でコーディングされる。キーを挿入する際、以下のシーケンスが生じる（ａ−ｂ−ｃ）。すなわち、阻止タンブラピンＢＺは、キーの斜面になった導入面６において阻止溝ＢＮのレベルにまで持上げられ、シリンダハウジング１０に対して遊びが少ない状態で、阻止溝を通過して対応するコーディング位置Ｐ１まで達し、阻止タンブラピンＢＺは、ここではたとえばＣ２であるある特定のコーディングステップを有するこの第１のコーディング位置の中へ下ろされる。この位置Ｐ１において、阻止タンブラピンＢＺ、ＢＧの対がシリンダの旋回に関して正規のコーディング位置として動作し、正しいコーディングの場合にはせん断ライン９を解放しなければならない。阻止溝ＢＮが十分に深くない場合、または誤ったコーディングＢｉを有する場合、阻止カウンタピンＢＧがシリンダハウジング１０上に当たり、キーのさらなる挿入が斜面になった導入面において阻止される（ｌｂがｄｂより大きい場合は図８ａを参照せよ）。このため、阻止コードにより、追加のセキュリティ機能が生じ、阻止溝の追加のコーディングステップ（Ｂｉ）により完全な挿入を防止することができ、位置Ｐ１におけるそれまでのコーディング機能が維持される。これに加えて、キー上、すなわちキー位置においてもシリンダにおいても、阻止コードのための追加の空間は必要ではない。単純に、シリンダにおいて、それまでの正規のコーディングタンブラピンが特殊な阻止タンブラピンによって置換されるだけである。
【００１４】
図３は、キー表面に対してコーディング深さｔｃを有するコーディングステップＣｉと比較される、深さｔｂを有する可能な阻止ステップＢｉを示す。以下の例において、ここで、コーディングステップＣ１からＣ４（たとえば０．３５ｍｍのステップ）と、阻止深
さがたとえば１．０５、０．５５および０ｍｍである３つの阻止ステップＢ１、Ｂ２、Ｂ３とを利用するが、深さが０ｍｍである阻止ステップＢ３はもはや阻止機能を発揮することができない。阻止深さＢｉはまた、コーディング深さＣｉに対応していてもよく、すなわち、たとえばＣ１からＣ４とＢ１からＢ４とである。さらなる例において、５つのコーディングステップＣ１からＣ５が４つの阻止ステップＢ１からＢ４と組合されて示され、たとえば、Ｃｉのステップ距離は０．３ｍｍであり、Ｂｉのステップ距離は０．４ｍｍである。コーディングステップＣｉとの阻止ステップＢｉに対する組合せ規則に従って、コーディングステップＣｉのコーディング深さｔｃは先行する阻止溝Ｂｉの阻止深さｔｂより小さくてはならない。したがって、この例において、阻止ステップＢ３は後続のコーディングステップＣ３、Ｃ２またはＣ１と組合せてもよい。
【００１５】
図４、図５および図６は、さまざまな可能なタンブラピン形状（図４ａ、図４ｂ、図４ｃ）、阻止溝ＢＮの割当てられた形（図５ａ、図５ｂ、図５ｃ）およびタンブラピンに割当てられたコーディング形状（図６ａ、図６ｂ、図６ｃ）を示す。図４ａは、たとえば基本的なコーディングＣｏｄ１のための従来の円錐形タンブラピン形状２１を示し、これは単純なボアによって製造できる（図６ａ）。図４ｂは、対応する狭いコーディング溝（図６ｂ）を有する狭い円筒形タンブラピン形状２２を示し、これの製造は、たとえば複製するのが困難で、入念なフライス削りプロセスを必要とし、たとえば第２のコーディングＣｏｄ２として利用してもよい。図４ｃは平坦なピン２３を示し、これはたとえば、以下により詳細に説明するように、狭くフライス削りされたコーディング（図６ｂ）のフランク制御に利用してもよい。さらなるタンブラピン形状が可能であり公知であるが、これは原則として円筒形断面および円錐形断面の組合せである。阻止溝形状およびコーディング形状は異なった態様で実現してもよく、この結果、どんな複製をもより困難にし、またコーディング形状をさらに曖昧にする効果がある。
【００１６】
図７ａ、図７ｂ、図７ｃは、阻止溝の一例を示しており、阻止溝は２つのボアパターンＲ、Ｌの４つの最も前方のコーディング位置Ｐｉ＝Ｌ１１、Ｒ５、Ｌ１０およびＲ４にわたって延在し、対応していくつかの異なる態様でコーディングされたセクタＢＮ１からＢＮ４を有する。そうするにあたって、原則として、阻止溝の深さｔｂがある位置から次の位置まで同じままであるかまたは小さくなり（すなわち大きくはなり得ない）、同様に阻止溝の幅ｂｂはある位置から次の位置まで同じままであるかまたは小さくなることに注意しなければならない。これは、３つの阻止ステップＢ１からＢ３および２つの阻止溝幅ｂｂ１およびｂｂ２と併せて、４つの阻止溝セクタＢＮ１からＢＮ４の例示される阻止ステップＢｉ、ｂｂｉを生じる。
【００１７】
図８は、阻止コードの機能を三次元で示し、図９は、図１４の例に対応する阻止溝形状および隣接コーディングくぼみを示す。図８ａ、図８ｂにおいてキーＳ１ａが示され、これは阻止ステップＢ２を有する阻止溝と、コーディングＣ１およびＣ２を有する隣接コーディング位置Ｌ１１およびＲ５を備える（図１４のキーＳ１ａに対応する）。
【００１８】
図８ａは、阻止コードＢ１を有する１対の阻止タンブラピンＢＺ、ＢＧを示し、その長さｌｂはシリンダハウジング１０からの阻止溝の距離ｄｂより大きい。これにより、このシリンダへのキーＳ１ａの完全な挿入が阻止される。図８ｂはこれに対し、阻止コードＢ２を有する１対の阻止タンブラピンＢＺ、ＢＧを示し、この阻止コードＢ２は阻止溝ＢＮの阻止コードＢ２に対応し、このため完全に挿入することができる。図１４の概略図においてこれはキーＳ１ａに対応し、これは（位置Ｒ５におけるコーディングＣ１を有する）シリンダＺ１を開く。
【００１９】
図９ａから図９ｄは、異なった態様でコーディングされた阻止溝および位置Ｌ１１および位置Ｒ５を有するキーＳ１、Ｓ２、Ｓ３およびＳ１ａを示す。これはまた、図１４の概
略施錠機能図に対応しており、これはどのキー−シリンダ組合せが開くもので、どの組合せが阻止するものかを示す。
【００２０】
可能な追加のセキュリティ要素として図１０は、キーの先端における制御面ＫＦおよびシリンダにおける割当てられた制御ピンＫＳによるそれ自体で公知の挿入阻止システムを示す。この制御面ＫＦは、キーの中央２等分面５を超えて延在し、制御ピンＫＳと同じであり、これは上昇する制御面ＫＦ上に当たり、キーが挿入できるようにするためにはこれによって脇へ押しやられなければならない。正しい制御面を有さない、または正規の導入面６のみを有するキーは、その先端によってこの制御ピンＫＳに遭遇するため、後者がキーの挿入を防止する。これは、この発明による阻止コードに従ったものと完全に異なる構成および作用であり、この発明は何ら特殊な制御面を必要とせず、むしろ、いずれかの既存のキー導入面６とこそ働く。しかしながら有利には、阻止タンブラピンＢＺを有する新しい阻止コードは、制御面ＫＦおよび制御ピンＫＳによってこの公知の挿入ブロックと組合せることができ、特に、同じタンブラピン列（たとえばＡ２）において割当てることさえでき、制御ピンＫＳはシリンダにおける阻止タンブラピンＢＺ、ＢＧの対の前のどこかに位置付けられる。
【００２１】
これもまた同じタンブラピン列に割当てることができるさらなる重要な追加のセキュリティ要素が図１１ａ、図１１ｂに示される。これらには、狭くコーディングフライス削りされた部分Ｃｏｄ２におけるフランク制御が示され、これは平坦なタンブラピン２３により実現される。平坦なタンブラピン２３（たとえば図４ｃを参照）は直径ｄ２を有し、これはコーディングフライス削りされた部分の幅ｄ１よりも大きいため、平坦なタンブラピンは図１１ａに示されるようにキー表面７上に載る。これに対し、基本的なコーディングＣｏｄ１の場合、たとえば図６ａに従って、必然的に幅広いボアｄ３により、平坦なタンブラピン２３は図１１ｂに従ってこれらのくぼみの中に沈み込み、シリンダのせん断ライン９が妨害される。これにより、たとえば、認可された、より入念な狭くコーディングフライス削りされた部分Ｃｏｄ２の代わりに単純な鍛造されたボアを検出することができ、このようにして鍛造されたキーが機能することを防止できる。
【００２２】
このため、有利には、余裕のない空間において、かつ単一のタンブラピン列において、以下の非常に有効なセキュリティ要素を組合せることができる。すなわち、この発明に従った阻止コードＢＣに加え、狭くフライス削りされた部分を有する第２のコーディングＣｏｄ２と、制御ピンＫＳおよび制御面ＫＦによる挿入制御と、平坦なタンブラピン２３による狭いコーディングＣｏｄ２のフランク制御とを組合せることができる。
【００２３】
図１２は、図１の例に従ったシリンダにおける４列のタンブラピンＡ１からＡ４を有する安全旋回キーの断面図を示す。列Ａ１はここで、狭くコーディングフライス削りされた部分Ｃｏｄ２および１対の阻止タンブラピンＢＺ、ＢＧによって実現される。列Ａ３および列Ａ４（また、任意には列Ａ２）はここで、より単純な基本的なコーディングＣｏｄ１で実装される。重要であるのは、コーディング位置およびセキュリティ要素のために可能な限り最良な態様で所与のキー表面およびシリンダ内部の空間を活用することである。これを達成するために、必要なものとしてタンブラピンの列（少なくとも２つ）もまたキーの平坦な側面上に位置していなければならない。いくぶんか大きめのキーの場合、４列より多い列のタンブラピンを設けることも可能である。
【００２４】
この目的のため図１３ａは、５列のタンブラピンＡ１からＡ５を有する列を示し、図１３ｂは８列のタンブラピンＡ１からＡ８を備えた例を示すが、これは、空間が利用可能な範囲でしかシリンダにおいてタンブラピンを備えることができない。しかしながら、狭いコーディングの利用のおかげで、ここではキー上に８列すべてをコーディングすることも可能である。このことにより、可能な順列の数が大きくなり、さらなるセキュリティの確
保にも繋がる。原則として、ここでもまた、タンブラピンのすべての列Ａｉのはじめにおいて阻止コーディングを設けることができる。
【００２５】
図１４から図１７において、阻止コードＢｉと隣接位置ＰｉのコーディングＣｉとの異なる組合せを示す概略施錠機能図が示される。左欄において、キーＳｉのコーディングＢｉ、Ｃｉが示され、上の列において、シリンダＺｉのコーディングが示される。キーはボアパターンＲもしくはＬまたはＲ＋Ｌ（両方）を有していてもよいが、一方、シリンダは１つのボアパターンＲまたはＬだけしか含むことができない。概略図には、「Ｘ」によって、キー／シリンダの組合せが嵌合するかどうか、すなわち、キーが対応するシリンダを開くかどうかが示される。その他のすべての組合せは阻止するものである。図１４から図１７は、いかにして少ない阻止コーディングＢｉおよび隣接位置コーディングＣｉによって異なるマーケット区域Ｍｉを互いに明確に区別できるかということと、いかにしてあるマーケット区域においてキーのいくつかの派生物、すなわち階層的区別、をある設備において実現できるかを示す。
【００２６】
図１４の概略図（図８および図９に対応する）は、２つのボアパターンおよび２つの位置
Ｐ１＝Ｌ１１およびＰ２＝Ｒ５
を有するコーディングＣｉを示し、
阻止溝の阻止ステップＢｉ＝Ｂ１、Ｂ２、Ｂ３およびコーディングステップＣｉ＝Ｃ１およびＣ２を有する５つの装備選択肢を示す。
これとともに規定されるのは２つの独立したマーケット区域Ｍ１、Ｍ２であり、３つまたは２つの派生物を有する。
キーＳ３はたとえばシリンダＺ１およびシリンダＺ３を開く。
【００２７】
図１５は、２つの位置
Ｐ１＝Ｌ１１およびＰ２＝Ｌ１０
にわたる阻止コードを備えたただ１つのボアパターンＬを示し、
阻止ステップＢ１、Ｂ２、Ｂ３を有し
コーディングステップＣ１、Ｃ２を有する。
これとともに規定されるのは４つの独立したマーケット区域Ｍ１からＭ４であり各々が３つの派生物を有する。
キーＳ１１ａｂｃは、たとえばシリンダＺ１１ａ、シリンダＺ１１ｂ、シリンダＺ１１ｃを開く。
【００２８】
図１６は、２つの位置
Ｐ１＝Ｌ１１およびＰ２＝Ｌ１０
を有するボアパターンＬを示し、
阻止コードＢ１、Ｂ２、Ｂ３を有し、
コーディングステップＬ１１＝Ｃ１およびＬ１０＝Ｃ１を有し、
あるマーケット区域内の阻止ステップにより５つの派生物が作られる。
すなわち、キーＳ１１ａｂｃｄｅは５つのシリンダＺ１１ａからＺ１１ｅを開き、
キーＳ１１ａはシリンダＺ１１ａのみを開く。
【００２９】
図１７は、２列のタンブラピンＡ１、Ａ２の各々において１つずつだけの位置Ｐ１を有する例を示す。双方の位置Ｐ１はＣ１によってコーディングされ、
阻止溝の阻止ステップＢ１、Ｂ２、Ｂ３によって３つの独立したマーケット区域Ｍ１、Ｍ２およびＭ３が規定される。
キーＳ１はシリンダＺ１のみを開き、Ｓ２はＺ２のみを開き、Ｓ３はＺ３のみを開く。
【００３０】
図１８は、階層概略図におけるセキュリティ可逆キーを有するこの発明に従った施錠システムの組織を示す。システム所有者ＳＳ（たとえば製造会社）は最高の階層レベルを表わし、これはマーケット区域Ｍｉ＝Ｍ１、Ｍ２などを規定し、かつ認可し、マーケット区域はたとえば国または一般的なディストリビュータであってもよい。マーケット区域において、さらなる区域の部分Ｍｍｉが、たとえばこの区域内の異なるディストリビュータまたは設備に対して規定され分離される。さらなるレベルＭｍｉ．ｉはたとえば個々の物体を規定していてもよい。これは区域Ｇ１および区域Ｇ２のコーディングによって規定される。
【００３１】
図１９は、製造ステップＨ、キー上の区域Ｇ、および区域Ｇにおける製造可変部分Ｖｉを含むこの発明に従ったシステムのキーのための製造方法を概略的に示す。原則として、難度ＨＳがより低い製造Ｈは、より低いレベルにおいてまたは分散して行なわれる。
【００３２】
たとえば、異なる区域Ｇｉにおいて、対応する製造ステップＨｉにおいて、製造される可変部分Ｖｉおよびセキュリティ要素もまた表に示される。
【００３３】
キー上に少なくとも２つの区域Ｇ１、Ｇ２を有する施錠システムのキーおよびシリンダの製造では、まず、キー上の第１の区域が製造され、または中央の、または集中した製造場所Ｈ１において制御され認可され、第２の区域Ｇ２のキーのコーディングＣｏｄ１とシリンダに対応するピンの装備とはその後、地方の場所Ｈ２において行なってもよい。
【００３４】
製造は少なくとも２つのステップにおいて、または異なる場所において行なわれてもよく、まず、区域Ｇ１の難度ＨＳがより高い可変部分が集中した、または中央の場所において製造され、阻止溝を有するキーブランクとし、その後、区域Ｇ２の難度がより低い阻止溝以外の可変部分が分散してまたは地方で製造される。
【００３５】
また、キーの製造は３つのステップにおいて行なわれてもよく、まず、難度が最も高い可変部分Ｖｉを有する第１の区域Ｇ１を中央において（Ｈ１）製造し、その上に、難度がより低い可変部分を有するさらなる区域Ｇ１／２を地方で（Ｈ１／２）製造し、最後に、区域Ｇ２の難度が最も低いコーディングＧ２を、使用する場所（Ｈ２）において局所的に製造する。
【００３６】
システムのさらなる展開において、区域Ｇ１の製造もまた分散して行なわれてもよい。これを実現するため、製造プログラムおよび認可（ａｕｔ）が中央の、または集中した場所ＳＳ（システム所有者）から制御されチェックされてもよい。
【００３７】
この発明に従ったシステムおよび製造方法により、マーケット区域およびマーケット区域の部分の全世界的な区別と迅速な局所的な製造とが可能となる。
【００３８】
この説明の枠組において以下の符号が用いられる。
【図面の簡単な説明】
【００３９】
【図１ａ】１つのキー上の２つのボアパターンに対するコーディング位置を有するコーディング列を示す図である。
【図１ｂ】第１の区域に追加のセキュリティ要素を有する、キー上での区域分割を示す図である。
【図１ｃ】区域分割のさらなる例を示す図である。
【図１ｄ】キー上のマーケット区域およびディストリビュータ区域の区分けを示す図である。
【図１ｅ】区域分割とマーケット区域の区分けとの関連を示す図である。
【図２】阻止溝および阻止タンブラピン対を有する阻止コードの原理を示す図である。
【図３】コーディングステップおよび阻止ステップの例を示す図である。
【図４】異なるタンブラピン形状の例を示す図である。
【図５】図４に対応する阻止溝形状を示す図である。
【図６】図４に対応するコーディング形状を示す図である。
【図７】異なるセクタを有する４つの位置にわたって延在する阻止溝を示す図である。
【図８】阻止タンブラピン対を有する阻止溝を三次元で表わした図である。
【図９ａ】（図１４の例に対応する）コーディング位置を有する阻止溝の異なる例を三次元で表わした図である。
【図９ｂ】（図１４の例に対応する）コーディング位置を有する阻止溝の異なる例を三次元で表わした図である。
【図９ｃ】（図１４の例に対応する）コーディング位置を有する阻止溝の異なる例を三次元で表わした図である。
【図９ｄ】（図１４の例に対応する）コーディング位置を有する阻止溝の異なる例を三次元で表わした図である。
【図１０】制御面および制御ピンによるセキュリティ要素「挿入阻止」を示す図である。
【図１１】コーディングのフランク制御のためのセキュリティ要素「平坦なピン」を示す図である。
【図１２】４列のタンブラピンおよびシリンダにおける阻止ピンを有するキーを示す図である。
【図１３】５つおよび８つのコーディングまたはタンブラピン列を有するキーの例を示す図である。
【図１４】２つのボアパターンおよび２つのマーケット区域を示す概略施錠機能図である。
【図１５】２つの位置および４つのマーケット区域を示す概略施錠機能図である。
【図１６】２つの位置および１つのマーケット区域を示す概略施錠機能図である。
【図１７】２つのタンブラピン列において１つずつの位置と、３つのマーケット区域とを示す概略施錠機能図である。
【図１８】マーケット区域および応用が区分けされた施錠システムの組織図である。
【図１９】この発明に従った施錠システムのキーのための概略製造図である。
【符号の説明】
【００４０】
ｘ、ｙ、ｚ  空間における方向、ｘ  キー軸、Ｓ、Ｓｉ  キー、Ｚ、Ｚｉ  シリンダ、Ｐｉ  コーディング位置、Ｒ、Ｌ  右側、左側ボアパターン、Ｒｉ、Ｌｉ  右側、左側コーディング位置、Ａｉ  コーディング列、ピン列、Ｂｉ  コーディングされた阻止ステップ、Ｃｉ  コーディングステップ、ＢＣ  阻止コード、ＢＮ  阻止溝、ＢＺ  阻止タンブラピン、ＢＧ  阻止カウンタピン、ＢＺ＋ＢＧ  阻止タンブラピンの対、阻止ピンの対、ｌｂ  ＢＺ＋ＢＧの長さ、ｄｂ  ＢＮから１０までの距離、ｔｂ  ＢＮの深さ、ｂｂ  ＢＮの幅、ｔｃ  コーディングステップＣｉの深さ、ｄ１、ｄ２、ｄ３  直径、Ｃｏｄ１  基本的なコーディング、Ｃｏｄ２  第２の（異なる）コーディング、ＫＦ  制御面、ＫＳ
制御ピン、Ｍｉ  マーケット区域、ＭＭｉマーケット区域の部分、ＳＳ  システム所有者、ａｕｔ  認可、Ｈ１、Ｈ２  制御ステップ、ＨＳ  製造難度、Ｇ１、Ｇ  Ｓ上の区域、Ｖｉ可変部分、セキュリティ要素、５  Ｓの中央２等分面、６  Ｓの斜面になった先端、Ｓの導入面、７  Ｓの表面、９  Ｚにおけるせん断ライン、１０  シリンダハウジング、１１、１２  タンブラピンにおける支持表面、１５  タンブラピンにおける斜面になった面、２１−２３  タンブラピンの異なる形状、２３  平坦なピン。
【図１ａ】
0004864956.tif 000002
【図１ｂ】
0004864956.tif 000003
【図１ｃ】
0004864956.tif 000004
【図１ｄ】
0004864956.tif 000005
【図１ｅ】
0004864956.tif 000006
【図２】
0004864956.tif 000007
【図３】
0004864956.tif 000008
【図４】
0004864956.tif 000009
【図５】
0004864956.tif 000010
【図６】
0004864956.tif 000011
【図７】
0004864956.tif 000012
【図８】
0004864956.tif 000013
【図９ａ】
0004864956.tif 000014
【図９ｂ】
0004864956.tif 000015
【図９ｃ】
0004864956.tif 000016
【図９ｄ】
0004864956.tif 000017
【図１０】
0004864956.tif 000018
【図１１】
0004864956.tif 000019
【図１２】
0004864956.tif 000020
【図１３】
0004864956.tif 000021
【図１４】
0004864956.tif 000022
【図１５】
0004864956.tif 000023
【図１６】
0004864956.tif 000024
【図１７】
0004864956.tif 000025
【図１８】
0004864956.tif 000026
【図１９】
0004864956.tif 000027